(57)【要約】【課題】  握力のない身障者や体力のない病弱者、老人、子供等でも楽に傘を指して歩くことができ、中には閉じた傘を肩から下げて携帯できるものもあり、又、傘を指して自転車に乗る人の交通安全にも役立つ。【解決手段】  傘の握１の内部を空洞２にし、握１へ縦長に沿って溝３を付け、握１と柄４との接続部分の内部に滑車５を設け、前記空洞２の中に前方半分を輪状にし他を輪状にしない紐６を通し、前記輪状にした部分の先端に摘み７、又、輪状にしない部分の後端に球状ストッパー８を兼ねたレバー９を設けてなる。【選択図】      図１
2006000560.tif 000002
【特許請求の範囲】
【請求項１】
傘の握の内部を空洞にし、握へ縦長に沿って溝を付け、柄との接続部分の握内部に滑車を設け、前記空洞の中に前方半分を輪状にし他を輪状にしない紐を通し、前記輪状にした部分の先端に摘み、又、輪状にしない紐部分の後端にストッパーを兼ねたレバーを設けてなる傘。
【請求項２】
傘の握の底部にゼンマイバネで作動する自動巻戻し付紐収納装置を設け、前記自動巻戻し付紐収納装置へ輪状平紐を収納してなる傘。
【請求項３】
傘の握又は柄の下部に紐取付金具を、又柄の上部に止め金具を施し、前記紐取付金具に紐の長さを調節する機能を有する輪状紐を取り付けてなる傘。
【請求項４】
傘の握又は柄の下部にコイルバネ取付金具を施し、前記コイルバネ取付金具に輪状コイルバネ保持部材の長さを調節する機能を持つ肩当て付輪状コイルバネ保持部材を取り付けてなる傘。
【請求項５】
傘の握部を肩にフィットする形状とし、中に緩衝材を入れ表面が撥水性の部材で包み、又その構造をバネ付継手でなる肩掛とし、柄の下部に伸縮機能を有する継手を取り付け、握を上方へ折り曲げて肩に装着できるようにしてなる傘。
【請求項６】
傘の握を握部分及び肩へ装着する肩掛部分の二重構造とし、柄の下部に継手で止めた前記肩掛部分を上方へ折り曲げ肩に装着できるようにしてなる傘。
【請求項７】
傘の握又は柄の下部に取付金具を、又柄の上部に止め金具を施し、前記取付金具に伸縮性のある帯状保持部材を取り付け、未使用時に前記伸縮性のある帯状保持部材を前記止め金具に止めておき、更に柄のやや上部に頭部へ装着する上下へ移動可能の取付金具を設け、この取付金具にヘアーバンドでなる保持部材を取り付けてなる傘。
【請求項８】
傘に蓄光性蛍光体顔料を施してなる請求項１乃至６のいずれかの傘。
【発明の詳細な説明】
【技術分野】
【０００１】
本発明は握る手に負担が掛からず身障者、病弱者、老人及び子供でも楽に使用できる傘に関する。
【背景技術】
【０００２】
従来、傘に関する特許及び実用新案の出願は数多くあり、特に支持部材を用いて体に取り付ける傘については、実願昭６２-６７２５２、実願昭６３-１６７２６４、特願平１０-２１６６８６、実願２００２-６０９（Ｕ２００２-６０９）及び実願２００３-１５２３（Ｕ２００３-１５２３）等が提案されているが、いずれも支持部材が傘と一体化されておらず、使い勝手が悪く、製造コストも高く商品としての実用化に乏しい。
【発明の開示】
【発明が解決しようとする課題】
【０００３】
そこで上記の課題を解決するため、本発明による傘は、握の内部に前方半分を輪状にし他を輪状にしない紐又は輪状紐を内蔵し、輪状にした紐部分や輪状紐を簡単に引き出して首に掛けたり、握を上方へ折り曲げて肩に装着したり、又、輪状紐でなる保持部材を肩や頭部へ装着したりして傘の重みを支え、傘を持つ手に少しの負担もかからず、握力のない身障者や体力のない病弱者、老人、子供でも楽に傘を指せるようにしたもので、使用後は紐を簡単に握の中へ収納でき、握もワンタッチで元に戻すことができ、更に輪状紐でなる保持部材を肩から外さず閉じた傘をそのまま肩から下げて携帯でき、傘の置き忘れ防止にも役立たせることをねらいとしている。
【課題を解決するための手段】
【０００４】
本発明は上記の課題を解決する手段として、傘の握の内部を空洞にし、握へ縦長に沿って溝を付け、柄との接続部分の握内部に滑車を設け、前記空洞の中に前方半分を輪状にし、他を輪状にしない紐を通し、前記輪状にした部分の先端に摘み、又、輪状にしない紐部分の後端にストッパーを兼ねたレバーを設ける。
【０００５】
又、傘の握の底部にゼンマイバネで作動する自動巻戻し付紐収納装置を設け、前記自動巻戻し付紐収納装置へ輪状紐を収納することができる。
【０００６】
又、傘の握又は柄の下部に紐取付金具を、又柄の上部に止め金具を施し、前記紐取付金具に紐の長さを調節する機能を有する輪状平紐を取り付けることができる。
【０００７】
又、傘の握又は柄の下部にコイルバネ取付金具を施し、前記コイルバネ取付金具に輪状コイルバネ保持部材の長さを調節する機能を持つ肩当て付輪状コイルバネ保持部材を取り付けることができる。
【０００８】
又、傘の握部分を肩にフィットする形状とし、中に緩衝材を入れ表面が撥水性の部材で包み、又その構造をバネ付継手でなる肩掛とし、柄の下部に伸縮機能を有する継手を取り付け、握を上方へ折り曲げて肩に装着することができる。
【０００９】
又、傘の握を握部分及び肩に装着する肩掛部分の二重構造とし、柄の下部に継手で止めた前記肩掛を上方へ折り曲げて肩に装着することができる。
【００１０】
又、傘の握又は柄の下部に取付金具を、又柄の上部に止め金具を施し、前記取付金具に伸縮性のある帯状保持部材を取り付け、未使用時に前記伸縮性のある帯状保持部材を前記止め金具に止めておき、更に柄のやや上部に頭部へ装着する上下に移動可能の取付金具を設け、この取付金具にヘアーバンドでなる保持部材を取り付けることができる。
【００１１】
更に傘に蓄光性蛍光体顔料を施すこともできる。
【発明の効果】
【００１２】
前述の通り本発明による傘は、上記の通り握の内部に前方半分を輪状にし他を輪状にしない紐又は輪状紐を内臓し、前記輪状にした紐及び輪状紐を簡単に指で摘み出し首や肩に掛けたり、握を上方へ折り曲げて肩に装着したり、又、輪状紐でなる保持部材を肩や頭部へ装着したりして傘の重みを支え、握った手に負担がかからず、握力のない身障者や体力のない病弱者、老人、子供でも楽に傘を指して歩くことができ、輪状紐でなる保持部材を肩から外さず、閉じた傘をそのまま肩から下げて携帯でき、傘の置き忘れ防止にも役立ち、更に自転車に乗り傘を指した場合、握った手に負担がかかることがなく事故防止にも効果がある。
【発明を実施するための最良の形態】
【００１３】
以下、本発明の傘の実施の形態を添付図面を参照しながら詳細に説明する。
【実施例１】
【００１４】
図１、図２、図３、図４及び図５は本発明における第１の実施の形態を示すものであり、構造は図３および図４に示すように傘の握１の内部を空洞２にし、握１へ縦長（例えば背面、腹面、及び左右両側面）に沿って溝３を付け（図１及び図２参照）、柄４との接続部分の握内部に滑車５を設け（図３及び図４参照）、前記空洞２の中に前方半分を首に掛ける長さだけ輪状にし他を輪状にしない紐６（紐の直径３ｍｍ〜５ｍｍ、首に掛ける輪の周りの長さは６００ｍｍ〜１０００ｍｍ程度）を通し、前記輪状にした部分の先端に摘み７、又、輪状にしない部分の後端にレバー９付きストッパー８を設けてなる（図３及び図４参照）。使用方法は摘み７を摘んで輪状にした部分の紐を引き出して（図４参照）、首に掛けたうえ、傘を開いて傘を指し、最も持ち易い部分の柄４を手で軽く支え（押え）る（図５参照）。又、傘を仕舞う順序は傘を閉じ、輪状にした部分の紐６を首から外し、レバー９を摘んで柄４との接続部分まで持っていくと輪状にした部分の紐６は総べて握１の中に収納される。滑車５の働きで輪状にした部分の紐６の出し入れはスムーズに行われるようになっている。丈夫で滑りのよいポリエステル繊維等高分子合成繊維の紐６を使用し、輪状にした部分を収納するため握の長いステッキ型握を用いるとよい（図１及び図２参照）。尚、輪状にした紐は肩に掛けることもできる。
【実施例２】
【００１５】
図６、図７及び図８は本発明における第２の実施の形態を示すものであり、その構造は傘の握１の底部にゼンマイバネ１０で作動する自動巻戻し付紐収納装置１１を設け、前記自動巻戻し付紐収納装置１１へ首に掛ける長さの輪状平紐１２（厚さ０.８ｍｍ〜１ｍｍ、幅７ｍｍ〜１０ｍｍ、首に掛ける輪の周りの長さ６００ｍｍ〜１０００ｍｍ程度）を収納してなる。使用方法は先ず摘み７を指で摘み軽く引っ張ると、輪状平紐１２が巻き付いているドラム１３が回転し、半回転ごと羽根１４が爪１５に引っ掛かり、即ち羽根１４と爪１５の組み合わせでストッパーがかかり、同時にゼンマイバネ１０が巻かれ、輪状平紐１２を連続して引っ張るとストッパーがかかることなく、輪状平紐１２が引き出され、引く手を止めると自動的にストッパーがかかり、輪状平紐１２は任意の長さで止まる。次に第１実施例同様輪状平紐１２を首に掛け、傘を開いて傘を指し、最も持ち易い部分の柄４を手で軽く支える。更に傘を仕舞う順序は、バネ付巻戻しボタン１６を押すと羽根１４が爪１５から外れ自動的にストッパーが解除され、輪状平紐１２は自動的に巻戻される。輪状紐は肩に掛けることができる。
【００１６】
次に、前記自動巻戻し付紐収納装置１１の構造と異なり、図８に示すように輪状平紐１２が巻き付いているドラム１３が回転しても、半回転ごとストッパーがかかる機能を持たず、これとは別に引き出した輪状平紐１２を任意の長さでストップできる手動ストッパー１７を設けることができ、前述の通り輪状平紐１２の使用は収納スペースが小さくて済むためで、第２の実施の形態では図６に示すように円柱形の握１を使用し、輪状平紐１２には丈夫で滑りのよいポリエステル繊維等高分子合成繊維紐又は前記紐を塩化ビニール樹脂等高分子合成樹脂で覆い熱着した紐を用いる。
【実施例３】
【００１７】
図９は本発明における第３の実施の形態を示すものであり、図９に示すように傘の握１又は柄４の下部に紐取付金具２１を、又柄の上部に止め金具２４ｂを施し、前記紐取付金具２１へ紐の長さを調節する機能としてリング２２を有する輪状紐２３ａ（肩に掛ける輪の周りの長さ６５０ｍｍ〜１２５０ｍｍ程度）を取り付けて、肩に掛る部分の紐を広幅２３ｂとし、広幅２３ｂの先端に紐引っ掛け金具２４ａを設けてなり、輪状紐２３ａは先端の紐引っ掛金具２４ａを用い止め金具２４ｂに引っ掛けておく。使用方法は傘を開き引っ掛金具２４ａを止め金具２４ｂから外して輪状紐２３ａを肩に掛け、握１を握らず、最も持ち易い部分の柄４を手で軽く支えるだけでよい。傘を仕舞う順序は肩から輪状紐２３ａを外し、紐引っ掛金具２４ａを止め金具２４ｂへ引っ掛けて傘を閉じる。第１実施例や第２実施例との違いは輪状紐２３ａを外さずに、閉じた傘を肩から下げて携帯でき、雨が降り始めたとき、輪状紐２３ａを肩に掛けたまま傘を指せるようになっており、そこで傘の布張り表面に撥水性防水加工を施して水捌けをよくし、背・腰の部分が濡れないようにする。これだと傘を手で持って歩く必要がなく、傘の置き忘れ防止にも役立つ。尚、広幅の輪状紐を用いリングの代わりに紐の長さを調節する機能として面ファスナーを使用してもよい。
【実施例４】
【００１８】
図１０，図１１、及び図１２は本発明における第４の実施の形態を示すものであり、図１０に示すように傘の握１又は柄４の内部にコイルバネ取付金具２１ａを施し、前記コイルバネ取付金具２１ａに人工皮革製の肩当てカバー２１ｄ付輪状コイルバネ保持部材２１ｂを取り付けてなる。前記、肩当てカバー２１ｄに差し込み孔２１ｅを設け、この差し込み孔２１ｅに別途用意したかすがい状楔でなるコイルバネ止金具２１ｃを差し込み、コイルバネ保持部材２１ｂの長さを調節する（図１１参照）。例えば１７０ｍｍ（伸長時の長さ１２２４ｍｍ）のコイルバネ保持部材２１ｂを用い４０ｍｍ及び８０ｍｍと長さの異なるコイルバネ止金具２１ｃを揃え、肩当てカバー２１ｄに４０ｍｍ用及び８０ｍｍ用の差し込み孔２１ｅを各々２箇所ずつ開け、この孔２１ｅにコイルバネ止金具２１ｃを差し込むと伸ばした状態でコイルバネ保持部材２１ｂが各々約２８８ｍｍ及び約５７６ｍｍ短かい９３６ｍｍ及び６４８ｍｍとなり傘を使用する人の体にほぼ合った長さを確保できる。使用方法は輪状コイルバネ保持部材２１ｂを伸ばし輪を広げて肩に掛け、第３実施例同様握１を握らず最も握り易い部分の柄４を軽く支える。閉じた傘は肩から下げて携帯でき（図１２参照）、雨のとき輪状コイルバネ保持部材２１ｂを肩に掛けたまま傘を指し、雨が上がった場合、再び傘を閉じ肩から下げて携帯できる。そこで傘の布張り表面に撥水性防水加工を施して水捌けをよくし、背・腰の部分が濡れないようにし、又、傘は常に肩に掛けたままなので手に持って歩く必要はなく、傘の置き忘れ防止にも役立つ。コイルバネ保持部材はポリエチレン等高分子合成樹脂で成型加工し、バネの伸縮がソフトで、然も肩当てカバー２１ｄが付ており、肩に負担がかからない。前記コイルバネ保持部材２１ｂの芯に細いステンレスワイヤー又はスチールコイルバネを入れると耐久性に勝れより望ましい。尚、肩当てカバー２１ｄに人工皮革の代わりに塩化ビニールやシリコンのチューブを用いることができるが、傘は軽いので肩当てカバー２１ｄを用いなくともよく、その場合バネの調節ができないので伸ばした状態でＳ６００ｍｍ〜７００ｍｍ、Ｍ８５０ｍｍ〜９５０ｍｍ、Ｌ１１５０ｍｍ〜１２５０ｍｍ等の長さの違うコイルバネ保持部材２１ｂを取り付けた傘を用意し提供することができる。
【実施例５】
【００１９】
図１３、図１４、図１５、図１６及び図１７は本発明における第５の実施の形態を示すものであり、図１３に示すように傘の握１部分を肩にフィットする形状とし、中にポリウレタン等の緩衝材を入れ表面が撥水性の人工皮革等でなる部材で包み、又その構造をバネ付継手１８でなる肩掛２５とし、パイプでなる柄４の下部を切断して伸縮継手２０の上部２０ａ及び下部２０ｂを各々柄４の上・下へ嵌め込んで取り付ける。使用方法は先ず傘を開き握１を手前に引いて伸縮継手２０のロックを解除し（図１５参照）、伸縮継手２０の軸ピン２６を軸に握１部分を上方へ折り曲げると、バネ取付金具２７が柄４に嵌り込み上方へ折り曲った状態で固定され（図１６参照）、肩掛２５である握１を肩に装着することができ傘が体に保持される。その際手で柄を軽く支えると傘がより安定する（図１７参照）。傘を仕舞う順序は握１を肩から外し、折り曲げてある部分の柄４を元（垂直）に戻し、柄４の下部を上方へ押し込み伸縮継手２０をロックして傘を閉じる。柄（パイプ）４へ嵌め込んだ伸縮継手２０の上部２０ａは軸ピン２６で、又下部２０ｂは止めピン２８で固定する。尚、握１を上方へ折り曲げなければ普通の傘としての使用も可能である。
【実施例６】
【００２０】
図１８及び図１９は本発明における第６の実施の形態を示すものであり、図１８に示すように傘の握１を握部分と肩に掛ける肩掛２５部分との二重構造とし、柄４の下部に前記肩掛２５部分を継手２９で止めてなる。使用方法は二重構造で握１に収まっている肩掛２５部分を手で上方へ折り曲げ、肩に装着して傘を保持する（図１９参照）。従って握１は軽く握るだけでよく、握った手には殆んど負担が掛らない。傘を仕舞う順序は肩掛２５を肩から外し握１部分に戻して傘を閉じる。
【実施例７】
【００２１】
図２０は本発明における第７の実施の形態を示すものであり、図２０に示すように傘の握１又は柄４の下部に紐取付金具２１を、又柄４の上部に止め金具２４ｂを設け、前記紐取付金具２１にゴム織布でなり肩に掛けるやや広幅（幅１０ｍｍ〜１５ｍｍ、伸長時の長さＳ６５０ｍｍ、Ｍ９００ｍｍ、Ｌ１２００ｍｍ程度）の輪状保持部材３０を取り付け、未使用時にはこれを前記止め金具２４ｂへ止めておく。又柄４のやや上部に上下へ移動可能の取付金具３１を施し、この移動可能の取付金具３１に頭部へ装着するヘアーバンドでなる広幅（幅２０ｍｍ〜３０ｍｍ、伸長時の長さＳ３００ｍｍ、Ｍ４５０ｍｍ、Ｌ６００ｍｍ程度）の保持部材３０ａを取り付ける。使用方法は先ずゴム織布でなる肩に掛ける輪状保持部材３０を伸ばして広げ、肩に掛けて傘を開き、次にゴム織布のへアーバンドでなる保持部材３０ａを頭部へ装着する。傘を仕舞う順序はヘアーバンドでなる保持部材３０ａを頭部から外して傘を閉じ、肩に掛けた輪状保持部材３０をそのまま肩から外さず、傘を背・腰部へ下げて携帯する。そこで第３実施例及び第４実施例同様、傘の布張りに撥水性防水加工を施して水捌けをよくし背・腰の部分が濡れないようにし、又閉じた傘は常に肩に掛けたままなので手に持って歩く必要はなく、傘の置き忘れ防止にも役立つ。これだと強い風雨でない限り両手を使わずに傘を指して歩くことができ、強い風雨のときは手で軽く柄４を支えるようにする。ゴム織布及びゴム織りヘアーバンドの代わりに、どちらも前記と同じ幅の布製の帯状紐及び布製へアーバンドを輪状にして用いることができ、その場合、面ファスナーを施し、長さを調節できるようにする。尚、肩掛け用及びヘアーバンド用ともゴム織布保持部材に代わり、第４実施例のコイルバネ保持部材を用いることもできる。
【実施例８】
【００２２】
本発明における第８の実施の形態を示すものであり、傘の布張り部分など目立つところに蓄光性蛍光体顔料を塗布し、夜間の交通事故防止に役立てようとするものである（図面は省略）。
【産業上の利用可能性】
【００２３】
握力の弱い身障者や体力のない病弱者、老人、子供、さらに自転車に乗って傘を指す人等結構利用者がおり、閉じた傘を肩から下げて携帯でき、傘の置き忘れ防止に役立つものもありニッチ産業として成長の可能性がある。
【図面の簡単な説明】
【００２４】
【図１】本発明における第１の実施の形態を示す部分斜視図。
【図２】図１の異なる形態を示す部分斜視図。
【図３】図１の輪状紐部分が握に収納してある状態の内部を示す部分平面図。
【図４】図３の収納してある輪状紐部分を引き出した状態の内部を示す部分平面図。
【図５】傘を指し持ち易い部分の柄を手で軽く支えた状態を示す斜視図。
【図６】本発明における第２の実施の形態を示す部分斜視図。
【図７】図６における自動巻戻し付紐収納装置の内部を示す平面図。
【図８】図７に示した自動巻戻し付紐収納装置と異なる形態の部分底面図。
【図９】本発明における第３の実施の形態を示す部分拡大斜視図。
【図１０】本発明における第４の実施の形態を示す部分斜視図。
【図１１】図１０における肩当てカバーを示す部分斜視図。
【図１２】図１０における傘を肩から下げて携帯する状態を示す斜視図。
【図１３】本発明における第５の実施の形態を示す部分平面図。
【図１４】図１３における伸縮回転継手の拡大斜視図。
【図１５】図１４における伸縮回転継手のロックを解除した状態を示す拡大斜視図。
【図１６】図１５の握部分を上方へ折り曲げた状態を示す拡大斜視図。
【図１７】図１３における肩掛を肩に装着し傘を指した状態を示す斜視図。
【図１８】本発明における第６の実施の形態を示す部分平面図。
【図１９】図１８における肩掛を肩に装着し傘を指した状態を示す斜視図。
【図２０】本発明における第７の実施の形態を示す斜視図。
【符号の説明】
【００２５】
１  握，  ２  空洞，  ３  溝，  ４  柄，  ５  滑車，  ６  紐，  ７  摘み，  ８  ストッパー，  ９  レバー，  １０  ゼンマイバネ，  １１  自動巻戻し付紐収納装置，  １２  輪状平紐，  １３  ドラム，  １４  羽根，  １５  爪，  １６  バネ付巻戻しボタン，  １７  手動ストッパー，  １８  バネ付継手，  ２０  伸縮継手，  ２０ａ  上部，  ２０ｂ  下部，  ２１  紐取付金具，  ２１ａ  コイルバネ取付金具，  ２１ｂ  コイルバネ保持部材，  ２１ｃ  コイルバネ止金具，  ２１ｄ  肩当てカバー，  ２１ｅ  差し込み孔，  ２２  リング，  ２３ａ  輪状紐，  ２３ｂ  広幅，  ２４ａ  紐引っ掛金具，  ２４ｂ  止め金具，  ２５  肩掛，  ２６  軸ピン，  ２７  バネ取付金具，  ２８  止めピン，  ２９  継手，  ３０  輪状保持部材，  ３０ａ  ヘアーバンド保持部材，  ３１  移動可能取付金具。
【図１】
2006000560.tif 000003
【図２】
2006000560.tif 000004
【図３】
2006000560.tif 000005
【図４】
2006000560.tif 000006
【図５】
2006000560.tif 000007
【図６】
2006000560.tif 000008
【図７】
2006000560.tif 000009
【図８】
2006000560.tif 000010
【図９】
2006000560.tif 000011
【図１０】
2006000560.tif 000012
【図１１】
2006000560.tif 000013
【図１２】
2006000560.tif 000014
【図１３】
2006000560.tif 000015
【図１４】
2006000560.tif 000016
【図１５】
2006000560.tif 000017
【図１６】
2006000560.tif 000018
【図１７】
2006000560.tif 000019
【図１８】
2006000560.tif 000020
【図１９】
2006000560.tif 000021
【図２０】
2006000560.tif 000022